(57)【特許請求の範囲】
【請求項１】
海苔網の長手方向の両端に位置する少なくとも一方の縁部を、海苔網の長手方向の外側に配設され浮子を取着したロープに吊り綱をもって連結するとともに、前記ロープの両端を海底から立設した支柱に遊嵌した浮動環に係止してなることを特徴とする海苔網設置構造。
【請求項２】
海苔網の長手方向の両端に位置する少なくとも一方の縁部を、吊り綱をもって海底から立設した支柱に遊嵌した浮動環に係止するとともに、海苔網の長手方向の外側に配設され浮子を取着したロープの両端を前記浮動環に連結してなることを特徴とする海苔網設置構造。
【発明の詳細な説明】
【０００１】
【発明の属する技術分野】
本発明は、海苔養殖場において海苔網を海面または海中に展張する海苔網設置構造に係り、特に、海中に立設した支柱をもって海苔網を展張するのに好適な海苔網設置構造に関する。
【０００２】
【従来の技術】
一般に、海苔の養殖は、海苔網に浮子を取着して海面に浮かすように展張して錨で止める浮き流し方式、あるいは、海底から立設した支柱に海苔網を展張した支柱方式によって行われている。この両方式の使い分けは、養殖場の立地条件により決定されている。
【０００３】
そして、支柱方式を使用している海苔養殖場は、支柱を立てることのできる海岸に近く、海の水深の浅いところであり、海の干潮時に海苔網が海面から離間して、日中の干潮時には天日により海苔に付着した雑菌の殺菌ができ、海苔の養殖には望ましい方法である。
【０００４】
図５は従来の支柱１を利用して海苔網２を展張する海苔網設置構造３の一例を示すものであり、海苔網２は、四辺を形成する太い縁綱４（三辺のみ図示）に、縁綱４より細い複数の綱５が格子状等に編まれて帯状に形成されている。この海苔網２には、四隅と長手方向の所定位置の縁綱４へ吊り綱６の一端が係止されている。そして、この吊り綱６の他端には、海水に対して浮力を有する略円環状に形成された浮動環７が係止されている。この浮動環７は、水深の浅い海の海底に適宜な間隔をおいて立設された複数の支柱１に遊嵌されている。また、各支柱１には、浮動環７の上下動の移動範囲を拘束する拘束手段として着脱可能な上下１対のストッパ８が取着されており、この上下１対のストッパ８の間に浮動環７が位置するようにされている。そして、図５において支柱１の上方に位置するストッパ８ａにより、浮動環７の上方への最大移動位置が拘束されて海苔網２の最大上昇位置が拘束され、図５において支柱１の下方に示すストッパ８ｂにより、浮動環７の下方への最大移動位置が拘束されて海苔網２の最大下降位置が拘束されるようになっている。
【０００５】
このように形成された従来の海苔網設置構造３によれば、浮動環７により、海苔網２を満潮や干潮および大潮や小潮などの海面の上下動に対して追従させることができるようになっており、ストッパ８により、海苔網２の位置および上下方向への移動量を拘束することができるので、海苔網２が海底に着底したり、予測しない海面の上昇、例えば台風等による高潮と満潮とが重なった時等に、海苔網２が支柱から外れるのを防止することができるようになっている。
【０００６】
【発明が解決しようとする課題】
しかしながら、前述した従来の海苔網設置構造３においては、上下１対のストッパ８の間に海面が位置する状態、つまり海面が浮動環７の移動範囲内に位置する状態にあっては、支柱１に遊嵌した浮動環７を海面の上下動に追従させることにより、海苔網２を海面の上下動に追従させるようにされているが、例えば、海苔網２の長手方向に対して直交する方向に強い潮流が流れている場合等に、海面の上下動に追従しようとする浮動環７が、支柱１に対して一方から強く押し付けられて浮動環７が支柱１に沿って上下移動するのを妨げて、図６に示すように、状浮動環７が海面の上下動に追従せずに、海苔網２の長手方向の端部に位置する縁綱４が、すなわち海苔網２の長手方向の端部に位置する縁部２ａが海面下に没してしまう場合が生じるという問題点があった。
【０００７】
また、海苔および海苔網２の酸処理作業および／または海苔の刈取作業は、作業船９を用いて自動的にかつ効率よく行うようにされており、この作業船９は、例えば、図７および図８に示すように、先端が海面下に没するようにして船体９ａに配設された案内部材１０により、海面に展張されている海苔網２の長手方向の一端を掬い上げて船体９ａの上方に導いて、海苔網２を作業船９の船首部から船尾部へ通過させる間に、船体９ａに配置された周知の刈取機構１１および／または酸処理機構１２により行うようになっており、海苔網２の長手方向の端部に位置する縁綱４が海面下に没してしまうと、作業船９の案内部材１０の先端を海苔網２の下方（詳しくは、海苔網２の長手方向の一方の端部に位置する縁綱４の下方）に潜り込ませる際に、案内部材１０の先端が海苔網２の長手方向の一端に位置する縁綱４をうまく掬い上げることができず、海苔および海苔網２に対する酸処理作業および／または海苔の刈取作業等を正常に行うことができず、甚だしい場合には、作業そのものを行うことができないない場合があるという問題点があった。すなわち、海苔網２の長手方向の一端に位置する縁部２ａが海面下に没してしまうと、作業船９による海苔網２の掬い上げをうまく行うことができないという問題点があった。
【０００８】
すなわち、海苔網２の長手方向の端部に位置する縁綱４が海面下に没してしまうと、作業船９の案内部材１０の先端により海苔網２の長手方向の一端（縁部２ａ）を掬い上げる初動時に、作業船９の進行方向の先頭側に位置する海苔網２の長手方向の縁部に吊り綱６をもって連結された浮動環７を、支柱１に沿って上方へ移動させるのに多大な力を要し、作業船９のピッチングや作業船９の推進力を低減してしまう場合があるという問題点もあった。
【０００９】
そこで、海面が浮動環７の移動範囲内に位置する状態において、浮動環７が海面の上下動に追従しない場合においても海苔網２の長手方向の少なくとも一方の縁部２ａを海面に位置させることのできる海苔網設置構造が望まれていた。
【００１０】
本発明はこれらの点に鑑みてなされたものであり、海面が浮動間の移動範囲内に位置する状態において、海苔網の長手方向の少なくとも一方の縁部を海面に位置させることのできる海苔網設置構造を提供することを目的とする。
【００１１】
【課題を解決するための手段】
本発明の第１の特徴は、特許請求の範囲の請求項１に記載したように、海苔網の長手方向の両端に位置する少なくとも一方の縁部を、海苔網の長手方向の外側に配設され浮子を取着したロープに吊り綱をもって連結するとともに、前記ロープの両端を海底から立設した支柱に遊嵌した浮動環に係止する構成とした点にある。
【００１２】
そして、このような構成とすることにより、海底から立設した支柱に遊嵌した浮動環に両端が係止されたロープは、このロープに取着された浮子により、浮動環が海面下に没している場合においても海面に位置させることができるというものである。そして、海苔網の長手方向の両端に位置する少なくとも一方の縁部を、吊り綱をもってロープに連結することにより、海面が浮動環の移動範囲内に位置する状態において、海苔網の少なくとも一方の縁部を海面の位置に常に位置させることができるというものである。
【００１３】
また、本発明の第２の特徴は、特許請求の範囲の請求項２に記載したように、海苔網の長手方向の両端に位置する少なくとも一方の縁部を、吊り綱をもって海底から立設した支柱に遊嵌した浮動環に係止するとともに、海苔網の長手方向の外側に配設され浮子を取着したロープの両端を前記浮動環に連結する構成とした点にある。
【００１４】
そして、このような構成とすることにより、海面が浮動環の移動範囲内に位置する状態において、支柱に遊嵌された浮動環には、浮動環自身の浮力に加えて浮子を取着したロープによる浮動環を海面に位置させようとする力を付与することができ、その結果、浮動環を海面に位置させるための力が増加し、浮動環が海面下に没するのを防止することができるというものである。そして、浮動環を海面に位置させるための力を増加させることにより、吊り綱をもって浮動環に係止されている海苔網の長手方向の両端に位置する少なくとも一方の縁部を海面の位置に常に位置させることができるというものである。
【００１５】
【発明の実施の形態】
以下、本発明の実施の形態を図面により説明する。なお、前述した従来のものと同一ないしは相当する構成については、図面中に同一の符号を付す。
【００１６】
図１および図２は本発明に係る海苔網設置構造の第１の実施の形態を示すものであり、図１は要部の斜視図であり、図２は一部省略平面図である。
【００１７】
図１および図２に示すように、本実施の形態の海苔網設置構造１３は、海底から立設した支柱１に、帯状に形成された海苔網２が展張可能とされている。この海苔網２は、四辺を形成する太い縁綱４（一部のみ図示）に、縁綱４より細い複数の綱５が格子状に編まれて形成されている。そして、海苔網２は、四隅と長手方向の所定の位置の縁綱へ吊り綱６の一端が係止されている。さらに、海苔網２の四隅に係止されている吊り綱６ａ（海苔網２の長手方向の一方の端部に位置する二隅のみ図示）を除いた残りの吊り綱６ｂの他端には、海水に対して浮力をもった浮動環７が係止されている。また、海苔網２の四隅に係止されている吊り綱６ａの他端は、海苔網２の長手方向の両端部の外側に、海苔網２の長手方向に対して直交する方向に配設されたロープ１４に係止されている。このロープ１４には、略樽形状に形成された適宜数の浮子１５，１５…が取着されており、このロープ１４の両端には、海水に対して浮力をもった浮動環７が係止されている。
【００１８】
すなわち、海苔網２の縁綱４の四隅を、吊り綱６ａをもってロープ１４に連結することにより、海苔網２の長手方向の両端に位置する縁部２ａがロープ１４に連結されている。
【００１９】
また、ロープ１４に取着する浮子１５としては、長尺の筒状に形成されたものを１個のみ用いてもよく、ロープ１４に係止された吊り綱６ａ、すなわち海苔網２の縁部２ａを常に海面に位置させる構成であれば、特に、本実施の形態の浮子１５の数および形状に限定されるものではない。
【００２０】
前記浮動環７は、水深の浅い海の海底に適宜な間隔をおいて立設された複数の支柱１に遊嵌されており、各支柱１には、浮動環７の上下動の移動範囲を拘束する拘束手段として着脱可能な上下１対のストッパ８が取着されており、この上下１対のストッパ８の間に浮動環７が位置するようにされている。そして、図１において支柱１の上方に位置するストッパ８ａにより、浮動環７の上方への最大移動位置が拘束されて海苔網２の最大上昇位置が拘束され、図１において支柱１の下方に示すストッパ８ｂにより、浮動環７の下方への最大移動位置が拘束されて海苔網２の最大下降位置が拘束されるようになっている。
【００２１】
また、本実施の形態における浮動環７は、中空のドーナツ状（略円環状）に形成され、海水に対して浮力と耐食性を合わせ持たせるとともに、支柱１に対して遊嵌でき摺動抵抗が低い形状と素材、例えば樹脂で製せられている。
【００２２】
さらにまた、ロープ１４の長さは、ロープ１４の両端に係止された浮動環７が遊嵌される支柱１，１の間隔より長くされており、このロープ１４は、弛みを具備する状態で配置されるようになっている。
【００２３】
なお、本実施の形態においては、海苔網２の長手方向の両端に位置する四隅を吊り綱６ａをもってロープ１４に連結したが、海苔網２の長手方向の少なくとも一方の縁部２ａを吊り綱６ａをもってロープ１４に連結する構成であればよく、特に、本実施の形態の構成に限定されるものではない。さらに、吊り綱６ａに対して適宜数の浮子１５を取着する構成としてもよい。
【００２４】
前記海苔網２の長手方向に長手方向に立設された支柱１と支柱１との略中間位置の海苔網２の短手方向には、海苔網２に浮力を付与するとともに、海苔網２の捻れを防止するために、軸方向に伸びるように形成された周知の伸子棒１６がその両端を縁綱４に係止されるようにして配置されている。なお、海苔網２に対する伸子棒１６の配設位置としては、海苔網２の長手方向の両端部にも設ける構成としてもよく、伸子棒１６の配設位置は、必要に応じて決定すればよい。
【００２５】
つぎに、前述した構成からなる本実施の形態の作用について説明する。
【００２６】
図３は本発明に係る海苔網設置構造の浮動環が海面下に没した状態を示す説明図である。
【００２７】
本実施の形態の海苔網設置構造１３によれば、浮動環７により、海苔網２を満潮や干潮および大潮や小潮などの海面の上下動に対して追従させることができるようになっており、ストッパ８により、海苔網２の位置および上下方向への移動量を拘束することができるので、海苔網２が海底に着底したり、予測しない海面の上昇、例えば台風等による高潮と満潮とが重なった時等に、海苔網２が支柱から外れるのを防止することができるようになっている。
【００２８】
さらに、本実施の形態の海苔網設置構造１３においては、上下１対のストッパ８の間に海面が位置する状態、つまり海面が浮動環７の移動範囲内に位置する状態にあっては、支柱１に遊嵌した浮動環７を海面の上下動に追従させることにより、海苔網２を海面の上下動に追従させるようにされている。
【００２９】
また、本実施の形態の海苔網設置構造１３のロープ１４は、そのの長さが、ロープ１４の両端に係止された浮動環７が遊嵌される支柱１，１の間隔より長くされて弛みを具備する状態で配置されており、ロープ１４の両端を除く長さ方向の中央部のに位置する大部分は、浮子１５，１５…により常に海面と同一位置を保持することができるようにされている。そして、海苔網２の四隅に係止されている吊り綱６ａの他端は、浮子１５，１５…により常に海面と同一位置に位置しているロープ１４の両端を除いた部位に係止されているので、海苔網２の四隅に係止されている吊り綱６ａを海面の位置に確実に位置させることができ、海苔網２の長手方向の両端に位置する縁部２ａを海面の位置に確実に位置させることができるようになっている。
【００３０】
これにより、例えば、海苔網２の長手方向に対して直交する方向に強い潮流が流れている場合等に、海面の上下動に追従しようとする浮動環７が、支柱１に対して一方から強く押し付けられて浮動環７が支柱１に沿って上下移動するのを妨げて、浮動環７が海面の上下動に追従せずに海面下に没した場合においても、図３に示すように、ロープ１４の両端を除く長さ方向の中央部のに位置する大部分は、浮子１５，１５…により常に海面と同一位置を保持することができ、この海面に位置しているロープ１４に吊り綱６ａをもって連結されている海苔網２の長手方向の両端に位置する縁部２ａを海面の位置に確実に位置させることができる。
【００３１】
また、海苔および海苔網２の酸処理作業および／または海苔の刈取作業は、従来と同様に、図７および図８に示す作業船９を用いて自動的にかつ効率よく行うようにされており、この作業船９には、先端が海面下に没するようにして船体９ａに配設された案内部材１０により、海面に展張されている海苔網２の長手方向の一端を掬い上げて船体９ａの上方に導いて、海苔網２を作業船９の船首部から船尾部へ通過させる間に、船体９ａに配置された周知の刈取機構１１および／または酸処理機構１２により行うようになっている。
【００３２】
そこで、海面に位置しているロープ１４に吊り綱６ａをもって連結されている海苔網２の長手方向の両端に位置する縁部２ａを海面の位置に確実に位置させることができるので、作業船９の案内部材１０の先端を海苔網２の下方（詳しくは、海苔網２の長手方向の一方の端部に位置する縁部２ａ（縁綱４）の下方）に潜り込ませる際に、浮動環７が海面下に没した場合においても、案内部材１０の先端を海苔網２の長手方向の一端に位置する縁綱４をうまく掬い上げることができ、海苔および海苔網２に対する酸処理作業および／または海苔の刈取作業等を正常に行うことができる。
【００３３】
また、海面に位置しているロープ１４に吊り綱６ａをもって連結されている海苔網２の長手方向の両端に位置する縁部２ａを海面の位置に確実に位置させることができるとともにロープ１４には弛みが形成されているので、作業船９の案内部材１０の先端により海苔網２の長手方向の縁部２ａを掬い上げる初動時に、ロープ１４の両端が係止された浮動環７と支柱１との抵抗による負荷（摺動抵抗）が案内部材１０の先端に伝達されず、案内部材１０の先端が海苔網２の縁部２ａを掬い上げていく途中で浮動環７と支柱１とによる摺動抵抗が伝達されるので、全体的に見た場合に、案内部材１０の先端による海苔網２の縁部２ａの掬い上げ動作を円滑に行うことができるとともに、従来の案内部材１０の先端により海苔網２の縁部２ａを掬い上げる初動時に生じる作業船９のピッチングや作業船９の推進力を低減してしまうという不都合を防止することもできる。
【００３４】
図４は本発明に係る海苔網設置構造の第２の実施の形態を示すものであり、本実施の形態における海苔網設置構造１３Ａは、海苔網２の四隅に係止されている吊り綱６ａの他端を、海苔網２の長手方向の両端部の外側に位置する支柱１に遊嵌された浮動環７に係止したものである。その他の構成は前述した実施の形態と同様とされている。なお、吊り綱６ａに適宜数の浮子１５を取着する構成としてもよい。
【００３５】
このような構成とすることにより、本実施の形態においては、海面が浮動環７の移動範囲内に位置する状態において、海苔網２の長手方向の両端部の外側に位置する支柱１に遊嵌された浮動環７には、浮動環７自身の浮力に加えて浮子１５，１５…を取着したロープ１４によって浮動環７を海面に位置させようとする力を付与することができ、その結果、浮動環７を海面に位置させるための力が増加し、浮動環７を満潮や干潮および大潮や小潮などの海面の上下動に対してより確実に追従させて、浮動環７が海面下に没するのをより確実に防止することができる。そして、ロープ１４によって浮動環７を海面に位置させるための力を増加させることにより、吊り綱６ａをもって浮動環７に係止されている海苔網２の長手方向の両端に位置する少なくとも一方の縁部２ａを海面の位置に常に位置させることができる。
【００３６】
また、作業船９による海苔および海苔網２に対する酸処理作業および／または海苔の刈取作業等においては、海面に位置している浮動環７に吊り綱６ａをもって連結されている海苔網２の長手方向の両端に位置する縁部２ａを海面の位置に確実に位置させることができるので、前述した実施の形態と同様の効果を奏することができる。
【００３７】
なお、前記各実施の形態においては、浮子１５を取着したロープ１４を浮動環７に接続する構成としたが、このロープ１４を用いずに、海苔網２の縁部２ａに浮子１５を取着する構成としてもよい。
【００３８】
さらにまた、本発明は、前記各実施の形態に限定されるものではなく、必要に応じて変更することができる。
【００３９】
【発明の効果】
以上説明したように本発明の海苔網設置構造によれば、海底から立設した支柱に遊嵌した浮動環に両端が係止されたロープは、このロープに取着された浮子により、浮動環が海面下に没している場合においても海面に位置させることができので、海苔網の長手方向の両端に位置する少なくとも一方の縁部を、吊り綱をもってロープに連結することにより、海面が浮動間の移動範囲内に位置する状態において、海苔網の少なくとも一方の縁部を海面の位置に常に位置させることができるという極めて優れた効果を奏する。
【図面の簡単な説明】
【図１】本発明に係る海苔網設置構造の第１の実施の形態の要部を示す斜視図
【図２】図１の一部省略平面図で
【図３】本発明に係る海苔網設置構造の浮動環が海面下に没した状態を示す説明図
【図４】本発明に係る海苔網設置構造の第２の実施の形態を示す図２と同様の図
【図５】従来の海苔網設置構造の要部を示す斜視図
【図６】従来の海苔網設置構造による浮動環が海面下に没した状態を示す説明図
【図７】作業船を示す正面図
【図８】作業船を示す平面図
【符号の説明】
１  支柱
２  海苔網
２ａ  （海苔網の長手方向の端部に位置する）縁部
４  縁綱
５  綱
６  吊り綱
６ａ  （海苔網の長手方向の端部に位置する）吊り綱
７  浮動環
８  ストッパ
１３、１３Ａ  海苔網設置構造
１４  ロープ
１５  浮子
１６  伸子棒
【図１】
0003558748.tif 000002
【図２】
0003558748.tif 000003
【図３】
0003558748.tif 000004
【図４】
0003558748.tif 000005
【図５】
0003558748.tif 000006
【図６】
0003558748.tif 000007
【図７】
0003558748.tif 000008
【図８】
0003558748.tif 000009